Podtech/llm-jp-corpus-v4-ja_patent huggingface dataset:
(57)【要約】【課題】本考案はボトルと蓋に凸凹を設け、蓋の凹をボトルの凸に押し込み嵌めることにより蓋を保持し紛失防止をする。【解決手段】本考案はボトル１の肩傾斜部に球面体凸１ａを設け、蓋２の外面上部中心にボトル１の球面体凸１ａの直径より若干大きめの球面体凹２ａを設ける。蓋２の凹２ａの入り口の直径をボトル１の球面体凸１ａの直径と同じにして入口より少し奥の直径は、若干小さめに絞る。蓋２の凹２ａをボトル１の凸１ａに押し込むことにより凹２ａの絞られた部分が材質の弾力性で一瞬広がり１ａの球面体が２ａの凹球面体に嵌まり込み保持され、蓋の紛失防止に役立つ。【選択図】        図１
0003134718.tif 000002
【実用新案登録請求の範囲】
【請求項１】
液体収納容器肩斜面部に凸、蓋外面上部に凹を持つのを特徴とする液体収納容器。
【考案の詳細な説明】
【技術分野】
【０００１】
本考案は、ボトル肩の傾斜面及び蓋外面上部中心に凸凹を設けた、液体収納容器に関するものである。
【背景技術】
【０００２】
飲料水を飲んだ場合、ボトルは手に持ち、蓋は置くか手に別々に保持していた。
【考案の開示】
【考案が解決しようとする課題】
【０００３】
別保持は蓋をその辺に置くことによる紛失、また置いた場所の和すれもある。さらに、飲みながら他の場所への移動は、手がふさがって蓋を持てない場合もある。従って、ボトルと蓋を一体化することにより飲みながら持ち歩きする場所でも蓋の保持が可能になり前述の欠点を解決しょうとするものである。
【課題を解決するための手段】
【０００４】
本考案は、製品収納時に幅を取らない様、ボトルを持つ時に手に当たりにくい様ボトルの肩の傾斜部に球面体の凸を設け、蓋の外面上部中心にボトルの凸より若干大きめの球面体の凹を設ける。蓋の凹の入り口の直径は凸の球面体の直径と同じで、入り口より少し奥は材質の弾力性によりボトルの凸の球面対に押し込み入れ外れない様凸の球面体の直径より若干小さめにする。ボトルの蓋を開けた場合は、蓋の凹をボトルの凸に押し込み一体化させ保持する事により問題点を解決している。
【考案の効果】
【０００５】
上述の様に、本考案のボトルは、蓋の開閉は勿論、ボトルの肩の傾斜面と蓋の外面上部中心に凸凹を設けたので、蓋を開けた場合本体方の傾斜部にくっ付けるので蓋の紛失がなくなり一時的に蓋をしたい時は、取り外して蓋をすることができ、しかも使用後リサイクル分別作業上ボトルと蓋の取り外しも簡単で役立つ。
【考案を実施するための最良の形態】
【０００６】
ボトルの凸の球面体は、製品収納時に幅を取らない様、ボトルを持つ手に当たりにくい様ボトルの肩の傾斜部に設け、蓋の凹の球面体は、外面上部中心にボトルの凸より若干大きめのものを設ける。蓋の凹の入り口の直径は凸の球面体の直径と同じで、入り口より少し奥は材質の弾力性を利用しボトルの凸の球面体に押し込み入れ外れない様若干小さめにする。この球面体の凸は、容器製造上左右対称とし二箇所設け、蓋を開けた場合は、どちらにも保持し使用できる。
【実施例】
【０００７】
以下、添付図面に従って一実施例を説明する。１はポリエチレンフタレ−ト等適宜素材にて形成されたボトル本体、２はプラスチックス等適宜素材にて形成された蓋で、ボトル本体１の肩の傾斜部に設けている凸１ａに蓋２の外面上部中心に設けている凹２ａを押し込み、蓋を保持する。ボトル１に蓋２をするとき、凸１ａから２を外して蓋をする。
【０００８】
本考案の一実施例は上述の如き構成からなるものであるから、ペットボトルは勿論であるが、他の材質の容器でも開けた蓋２をボトル１の肩傾斜面１ａに嵌め込めば一体化され保持される。
【図面の簡単な説明】
【０００９】
【図１】本考案のボトルの実施例を示す断面図である。
【図２】蓋の断面図である。
【図３】ボトル本体の断面図である。
【符号の説明】
【００１０】
１    ボトル
１ａ  球面体凸
２    蓋    
２ａ  球面体受け凹  
【図１】
0003134718.tif 000003
【図２】
0003134718.tif 000004
【図３】
0003134718.tif 000005
(57)【要約】【課題】中仕切りシートがばたついたり、折れ曲がることが無く、区画された空間に収納した物品どうしが混じり合うのを防ぐ仕切り付き袋を提供すること。【解決手段】袋本体１と、袋本体１の内部を区画する中仕切りシート２とを備え、中仕切りシート２の下部及び両側部を袋本体１の内面に接着してある。【選択図】図１
0003134731.tif 000002
【実用新案登録請求の範囲】
【請求項１】
袋本体と、該袋本体の内部を区画する中仕切りシートとを備え、該中仕切りシートの下部及び両側部を前記袋本体の内面に接着してあることを特徴とした仕切り付き袋。
【考案の詳細な説明】
【技術分野】
【０００１】
本考案は、袋本体の内部を中仕切りシートによって区画した仕切り付き袋に関する。
【背景技術】
【０００２】
１つの袋に異なる種類の物品を収納することも多く、このような場合には、他種類の物品どうしが交じり合わないよう、袋内に複数の収納室を設けてあると便利である。
従来、下部が袋の内底に接着されている中仕切板により、袋内を２室に区画できるようにした仕切り付き袋が知られている（特許文献１参照）。
しかし、上記従来の仕切り付き袋は、中仕切板の下部のみが袋内面に接着され、中仕切板の側部は袋から分離しているので、中仕切板がばたついたり、折れ曲がったりしやすく、また、中仕切板の両側と袋内面との間に隙間があるため、この隙間を通して物品が混じりあう心配がある。
【０００３】
【特許文献１】実開昭５７−２４２４１号公報
【考案の開示】
【考案が解決しようとする課題】
【０００４】
本考案が解決しようとする課題は、中仕切りシートがばたついたり、折れ曲がる事が無く、区画された空間に収納した物品どうしが混じり合うのを防ぐ仕切り付き袋を提供することにある。
【課題を解決するための手段】
【０００５】
本考案の仕切り付き袋は、袋本体と、該袋本体の内部を区画する中仕切りシートとを備え、該中仕切りシートの下部及び両側部を前記袋本体の内面に接着してある。
【考案の効果】
【０００６】
本考案によれば、中仕切りシートの下部及び両側部が袋本体に接着されているので、中仕切りシートが倒れたり、ばたついたり、折れ曲がる心配が無く、袋の強度も高まる。
また、中仕切りシートと袋本体との間に、区画された空間どうしを連通する隙間が無いため、区画された空間内に収納された物品が混じり合うのを防ぐことができる。
【考案を実施するための最良の形態】
【０００７】
以下、本考案の実施例を図面に基づいて詳細に説明する。
本考案の仕切り付き袋は、図１及び図２に示すように、袋本体１と、袋本体１の内部を区画する中仕切りシート２とを備える。
袋本体１は、収納する物品に応じて、多層紙、プラスチックラミネート紙等の適宜紙素材より成り、角底袋のように側面部分３を有する比較的奥行きのある形状が適している。
【０００８】
中仕切りシート２は、袋本体１の側面部分３と平行に配置され、側面部分３よりもやや大きい幅と、側面部分３と同じかやや低い高さとを有する強靭な紙片から成る。
また、中仕切りシート２の下部及び両側部は適宜幅で一側へ折り曲げられ、下縁及び両側縁の全長に亘って接着代４が形成されている。そして、この接着代４を袋本体１の内面に接着することにより、中仕切りシート２が袋本体１に取り付けられ、袋本体１の内部は２つの収納空間５に区画されている。
従って、中仕切りシート２の下部及び両側部と袋本体２の内面との間には隙間が無く、二つの収納空間５に分けて収納した物品どうしが混じりあうことはない。
【０００９】
なお、図に示す実施例では、袋本体１の側面部分３と平行な中仕切りシート２によって、袋本体１の内部を幅方向に２分するよう区画したが、袋本体１の前後面と平行な中仕切りシートによって、袋本体１の内部を厚み方向に区画することも可能である。
また、大型の袋の場合には、複数の中仕切りシートによって袋本体の内部を３室以上に区画することもできる。
【図面の簡単な説明】
【００１０】
【図１】本考案の実施例を示す仕切り付き袋の斜視図。
【図２】本考案の実施例を示す仕切り付き袋の断面図。
【符号の説明】
【００１１】
１  袋本体
２  中仕切りシート
３  側面部分
４  接着代
５  収納空間
【図１】
0003134731.tif 000003
【図２】
0003134731.tif 000004
(57)【要約】      （修正有）【課題】トイレ用洗浄水の節水を目的とした貯水タンクである。【解決手段】従来の貯水タンク５に、目盛り２を附した水位視認パイプ１を該タンクに取り付け、トイレを使用しない間は、該タンクへの洗浄水の流入管に取り付けた止水バルブ６の操作によって該タンクへの洗浄水の流入を止めて該タンクを空にしておき、使用するときは使用目的に合わせて、該バルブを操作して該パイプの目盛りを視認しながら、必要水量を該タンクに貯留できる。【選択図】図１
0003130414.tif 000002
【実用新案登録請求の範囲】
【請求項１】
トイレの貯水タンクの周辺部に、貯水量を視認できる目盛りをしるしたガラスなどの透明な水位確認装置を取り付け、該タンクの外部の流入管に止水バルブを取り付けて該バルブの操作によって、該タンクへの流入量を自由自在に調整できる節水型貯水タンク。
【考案の詳細な説明】
【技術分野】
【０００１】本考案は，トイレ用洗浄水の節水を目的としたトイレ洗浄用貯水タンクである。
【背景技術】
【０００２】従来の一般的な貯水タンクは、該タンクを満水にして大便用、小便用のレバー操作によって洗浄水を流す構造となっているが、これでは小便用で使用するときは必要量が不足し、大便用で使用するときは必要以上の洗浄水が流下する。節水を目的とした貯水タンクについては、数々の考案があるがいずれのものも、必要水量を自由自在に調整できなかったり、構造が複雑であったりという難点がある。また、最近では、貯水タンクを設けない節水型便器が開発されたが、これは従来型に比べかなり高価で下水使用料としては経済的だが、トータルコストでは必ずしも経済的とはいえないという難点がある。
【考案の開示】
【考案が解決しようとする課題】
【０００３】本考案は、下水使用量を少なくし、家計の負担の軽減を図るとともに、限られた水資源を有効に活用するものである。
【課題を解決するための手段】
【０００４】このため、請求項１にあるように、通常の貯水タンクの周辺部に該タンクに流入する水量を視認できる装置を設け、該タンクへの流入管に取り付けた止水バルブを操作することによって、小便用、大便用それぞれに対応した洗浄必要水量を該タンクに自由自在に貯留することを可能とした節水用貯水タンクを提供する。
【考案の効果】
【０００５】本考案の貯水タンクは、従来の貯水タンクの構造をそのまま生かして、該タンクに水位視認装置を取り付けるだけで、使用者が大便用、小便用の使用目的別に洗浄必要水量を確認しながら、該タンクに洗浄水を貯留できる。また、節水を必要としない場合にあっては、止水バルブを開放した状態にしておけば、従来の貯水タンクの機能がそのまま生かされて通常の使用ができるというメリットがある。また従来型を節水型に切り替えるとき経費が安価で変更できるというメリットがある。さらに、使用者自身の意思によって前記の行為を行うので、水資源の有効利用の意識が高まる。
【考案を実施するための最良の形態】
【０００６】以下，本考案を実施するための最良の形態を，図面を参照しながら，具体的に説明する。図１は、洋式のトイレの貯水タンク及び便器の正面斜視図である。貯水タンク５の左側面部の下部に、該タンクから洗浄水が流出する流出口３を設け、該流出口に目盛りを附したガラスなどの透明な水位を確認できる装置としての水位視認パイプ１を取り付け、サドルバンド４を用いて該サドルバンドを該タンクに接着剤を用いて固定する。固定する方法は本実施例に限定するものではない。例えばボルトなどを用いて固定する方法などがある。本実施例では、該パイプを該タンクの左側面部に設けたが、本実施例に限定するものではない。例えば、該タンクの右側面部や前面部に設けてもよい。また、水位を確認するための装置として透明なガラスなどのパイプ１で実施しているが、本実施例に限定するものではない。例えば、その他の方法として該タンクの前面部に縦長の開口部を設け、該開口部を該タンク内側からガラスなどの透明な板材を接着剤を用いて塞いだうえ漏水防止を施した水位視認窓を設けてもよい。【０００７】トイレを使用するときは、大便用、小便用の使用目的に合わせて、止水バルブ６を操作して、洗浄水を流入パイプ７に通して貯水タンク５に流入させ、水位視認パイプ１に附した目盛り２を確認しながら、適当な水位まで流入量を調整して該バルブを操作して止水する。また、目盛りについては本実施例では５箇所設けたが本実施例に限定するものではない。また、該バルブの位置については本実施例に限定するものではない。【０００８】用便後、落水レバー８を操作して、洗浄水を便器１０に一気に流出させる。本実施例は、洋式トイレ用で実施しているが、本実施例に限定するものではない。例えば、和式用トイレに用いてもよい。また、貯水タンク５の形状や設置位置については本実施例に限定するものではない。【０００９】用便後、手洗いを必要とするときは、再び、止水バルブ６を操作して、手洗い用パイプ９から、洗浄水を流出させ、手洗い終了後、該止水バルブを操作して止水する。
【図面の簡単な説明】
【００１０】
【図１】  本考案の実施例を示す、貯水タンクと便器の正面斜視図である。
【図２】  本考案の実施例を示す、貯水タンクと便器の左側面図である。
【図３】  本考案の実施例を示す、水位視認パイプの部分拡大平面図である。
【図４】  本考案の実施例を示す、貯水タンクと便器の右側面図である。
【符号の説明】
【００１１】  １  水位視認パイプ
２  目盛り
３  水位視認パイプへの流出口
４  サドルバンド
５  貯水タンク
６  止水バルブ
７  流入パイプ
８  落水レバー
９  手洗い用パイプ
１０  便器
【図１】
0003130414.tif 000003
【図２】
0003130414.tif 000004
【図３】
0003130414.tif 000005
【図４】
0003130414.tif 000006
(57)【要約】      （修正有）【課題】携帯電話機などの電子機器の充電器本体から携帯電話機の充電接続する為の出力ケーブルを出し、ケーブル上で分岐させそれぞれのケーブル先端に携帯電話用充電コネクターを設置し、複数の携帯電話機を同時に充電ができるように提供する事。【解決手段】携帯電話機などの電子機器の充電器本体４から携帯電話を充電する為の出力ケーブル３上において分岐器具２を設置しそれぞれのケーブルを延伸しその先端に携帯電話接続コネクター１をそれぞれ設置する。【選択図】図１
0003130419.tif 000002
【実用新案登録請求の範囲】
【請求項１】
携帯電話機や電子機器の家庭用充電器、車両用充電器において充電器本体より出力ケーブルを出してそのケーブル上に分岐器具を設置し、それよりケーブルを延伸させその先端に携帯電話用充電コネクターをそれぞれ設置することで、複数の携帯電話機の充電可能とした分岐器具付き携帯電話機用充電器。
【考案の詳細な説明】
【技術分野】
【０００１】  本考案は携帯電話充電器、特に携帯電話機などの携帯用電子機器に関する。
【背景技術】
【０００２】  近年、携帯電話の爆発的な普及により一人一台はもちろん複数台持たれる方もいるぐらいである。当然、携帯電話１台に付き必ず１台の充電器が必要となり家庭内や旅行などにも複数台の充電がも必要となるケースがある。
近年様々な趣向を凝らした充電器は発売されているがすべて１台の携帯電話に対応したもので同時に同じ携帯電話会社の携帯電話を充電できる充電器はなかった。
【考案の開示】
【考案が解決しようとする課題】
【０００３】  複数の携帯電話をお持ちの家庭は多いが携帯電話の数だけ通常の場合充電器も必要となる。また旅行先などでも充電器は複数持って行く方も多い。何故なら充電したい時に１台の充電器しかなければ充電したい時に他者が使っていれば当然充電することは出来ない。時間によっては就寝時間中にわざわざ起きて充電が終わった携帯電話機を充電器から外し未充電の携帯電話機を充電器に接続して充電を開始しなければならない。そのような不便さや、旅行先などのに何台も充電器を持たなくてもいいようにする事や、複数の携帯電話をお持ち家庭や個人が複数の充電器を買わなくてもすむようにする為の利便性を考えるものである。
【課題を解決するための手段】
【０００４】  本考案は、上述の課題を解決する為に、携帯電話機などの電子機器を充電する為の充電器において、充電器本体より出力させたケーブル上で２分岐や３分岐などをしてそれぞれの先端に携帯電話用の充電接続コネクターを取り付けそこに携帯電話を接続することにより充電又は同時に複数の携帯電話を充電することが可能となる。
【考案実施の形態】
【０００５】  携帯電話機などの電子機器を充電する充電器において、電源を受ける為のコンセントに接続するプラグ付きの充電器本体より出力用ケーブルを取り出しケーブル上の敵宣位置において２分岐あるいは３分岐などをする。その先端部に携帯電話用充電コネクターをそれぞれ設置する
【実施例】
【０００６】  以下、添付図面に従って一実施例を説明する。図１は携帯電話機などの電子機器を充電する充電器の正面図を示したものである。詳細について説明すると図１の１は携帯電話機を複数台同時に充電する為の携帯電話接続コネクターである。この図面上ではコネクターを２個で示してあるのでこの場合は２台の携帯電話機の充電が可能である。２はケーブルを分岐するための分岐器具である。３は出力ケーブル。４はコンセントプラグ付きの充電器基盤を保護する為のプラスチック成型ボディである。５はコンセントに接続するためのコンセントプラグである。【０００７】  本考案の一実施例は上術の如き構成からなるものであるから、充電器本体を電源を受ける為のコンセントにプラグを差込み携帯電話接続コネクターを携帯電話機に接続する事で充電が可能になるが、同時に２台の携帯電話機を接続すれば２台同時に充電が可能となる【０００８】  以上、詳細の本考案による携帯電話機の複数台の同時充電できる充電器の実施の形態を説明したが、ここで説明した実施の形態は本考案を説明するものであって、本考案は必ずしもこれに限定されるものではなく、本考案の精神を逸脱することなく当事業者が可能な変形または修正は本考案の範疇に含まれる。
【考案の効果】
【０００９】  上述の様に、本考案の携帯電話機などの電子機器の充電器において、複数台の携帯電話機などの電子機器を１台の充電器で同時充電することが可能になり場合によっては家庭内などで１台の充電器ですむようになり経済的にも楽になる。旅行時などにも複数の充電器を持つ必要がなくなり荷物も減らす事が出来る。また充電器本体に分配器なども内蔵していない為、充電器本体も重くならずに持ち運び時にも大変利便性がよい。
【図面の簡単な説明】
【００１０】
【図１】本考案の携帯電話機など電子機器の充電器の正面図である。
【図２】本考案の斜視図である。
【符号の説明】
【００１１】１  携帯電話機接続コネクター
２  分岐器具
３  出力ケーブル
４  携帯電話機充電器本体
５  コンセントプラグ
【図１】
0003130419.tif 000003
【図２】
0003130419.tif 000004
(57)【要約】【課題】寝たきりで医療機器を携帯する必要がある人の着用に好適なパジャマを提供する。【解決手段】上衣部とズボン部が一体化されているパジャマの、ズボン部の股下部から左右の内側足首部にかけて係止具を設け、上衣部の手首部、脇下部、ズボン部の外側足首部にかけて係止具を設け、上衣部の胸部に出入口が斜め上方内側に向いた内ポケットを設ける。【選択図】図１
0003130416.tif 000002
【実用新案登録請求の範囲】
【請求項１】
上衣部とズボン部が一体化されており、
ズボン部の股下部から左右の内側足首部にかけて係止具が設けられ、
上衣部の手首部、脇下部、ズボン部の外側足首部にかけて係止具が設けられ、
上衣部の胸部に、出入口が斜め上方内側に向いた内ポケットが設けられているパジャマ。
【考案の詳細な説明】
【技術分野】
【０００１】
本考案は、寝たきりの人、立ち上がる能力を備える前の幼児に対するおむつ交換、着替え、携帯用医療機器の携帯を容易にするパジャマに関する。
【背景技術】
【０００２】
寝たきりの人の着替えを容易にするパジャマが検討されてきた。例えば、ボトムスの股下部から左右の内側足首部にかけてマジックテープ（登録商標）が設けられた衣服が検討された（例えば、特許文献１参照）。また、上衣部とズボン部が一体化され、腹部から左右両脚部の裾まで達するオープンファスナが設けられ、上衣部における左右両側の袖部及び肩部にそれぞれ袖口から襟刳まで達するオープンファスナが設けられているパジャマが検討された（例えば、特許文献２参照）。
【０００３】
介護者は、これらのパジャマを着用した寝たきりの人の着替えを容易に実施できる。ところで、寝たきりの人の中には、胃ろう患者、呼吸器疾患患者のように、医療機器を携帯する必要がある人がいる。しかしながら、寝たきりで医療機器を携帯する必要がある人の着用に好適なパジャマは検討されていなかった。
【特許文献１】特開２００４−２８５５４３号公報
【特許文献２】特開平１１−９３００６号公報
【考案の開示】
【考案が解決しようとする課題】
【０００４】
考案が解決しようとする課題は、寝たきりで医療機器を携帯する必要がある人の着用に好適なパジャマの提供である。
【課題を解決するための手段】
【０００５】
本考案は、上衣部とズボン部が一体化されており、ズボン部の股下部から左右の内側足首部にかけて係止具が設けられ、上衣部の手首部、脇下部、ズボン部の外側足首部にかけて係止具が設けられ、上衣部の胸部に、出入口が斜め上方内側に向いた内ポケットが設けられているパジャマである。
【考案の効果】
【０００６】
本考案のパジャマは、寝たきりの人、立ち上がる能力を備える前の幼児に対するおむつ交換、着替えが容易である。更に、本考案のパジャマは、胸部における医療用機器の携帯に好適である。
【考案を実施するための最良の形態】
【０００７】
図１は、本考案のパジャマの一実施形態の正面図である。本考案のパジャマは、上衣部とズボン部が一体化されている。更に、本考案のパジャマのズボン部の股下部から左右の内側足首部にかけて係止具１が設けられ、本考案のパジャマの上衣部の手首部、脇下部、ズボン部の外側足首部にかけて係止具２が設けられている。図１では、係止具２は、左側に設けられているが、パジャマの右側に設けられていてもよく、左右に設けられていてもよい。本考案のパジャマの首部から腹部にかけて係止具３が設けられ得る。係止具１〜３は、ファスナー、ボタン及びマジックテープ（登録商標）からなる群から選択される。寝たきりの人の介護人、立ち上がる能力を備える前の幼児の監護者は、係止具１〜３の開閉を調節して、おむつ交換、着替えを容易に実施し得る。
【０００８】
本考案のパジャマの上衣部の胸部に、出入口４１が斜め上方内側に向いた内ポケット４が設けられている。内ポケット４は、右胸部及び／又は左胸部に設けられる。本考案のパジャマの着用者は、当該内ポケット４に携帯用医療機器を収納できる。そして、当該内ポケット４の出入口４１は斜め上方内側に向いているから、当該内ポケット４に収納された携帯用医療機器のパイプと人体を接続しやすい。
【産業上の利用可能性】
【０００９】
本考案のパジャマは、寝たきりの人、立ち上がる能力を備える前の幼児に対するおむつ交換、着替え、携帯用医療機器の携帯を容易にする。
【図面の簡単な説明】
【００１０】
【図１】本考案のパジャマの正面図
【符号の説明】
【００１１】
１…係止具、２…係止具、３…係止具、４…内ポケット、４１…内ポケット出入り口
【図１】
0003130416.tif 000003
(57)【要約】【課題】  本考案はフラップ式駐車装置の車止め部材としてのロック板が、より効果的な働きで不正退出を防止するフラップ式駐車装置を提供すること。【解決の手段】  本考案はフラップ式駐車装置のロック板４最先端下部に回動可能に取付けられた筒型ローラー１と、平行に間隔を有して駐車スペースの床に両端部が固設され、回動可能に軸支された筒型ローラー２を設置、車両タイヤが筒型ローラー各１，２に接触する事で退出車両のタイヤを空転させ不正退出を阻止可能とした。【選択図】図１
0003130418.tif 000002
【実用新案登録請求の範囲】
【請求項１】
車両が駐車スペースへ進入・退出するに際して作動するフラップ式駐車装置において、前記駐車スペースの床に固設され車両の進入・退出時に作動する本体部材と、該本体部材に一端側を支点として起倒自在に取付けたロック板と、同ロック板の他端下部に、前記車両の進入・退出方向と直角平行に配して回動可能に取付けられた第１の筒型ローラーと、該第１の筒型ローラーに平行に間隔を有して前記駐車スペースの床に両端部が固設され回動可能に軸支された第２の筒型ローラーと、該第２の筒型ローラーの軸に嵌合したピニオンギヤーと、該ピニオンギヤーに歯合して往復動するラックギヤーと、該ラックギヤーの一端が連接部材により前記ロック板と接合したことを特徴とするフラップ式駐車装置。
【考案の詳細な説明】
【技術分野】
【０００１】    本考案は、不正退出防止するフラップ式駐車装置の改良に関する。
【背景技術】
【０００２】  特開昭５１−６８９４６号、実開平７−１５９６１号、特開平８−２１８６６８号、特開２００３−２９３６０８号はそれぞれフラップ式駐車装置はいずれも不正退出防止装置は設けられていない、特開平７−３０１０２０は、ローラー１台を用いて車両を拘束しようとしている。
【考案の開示】
【考案が解決しようとする課題】
【０００３】  特開平７−３０１０２０は、先端部のみにローラー１台を取り付けて車止め部材として利用しようとしているが、フラップ式駐車装置より構造が複雑であり、タイヤサイズが大きくなる程タイヤの接地圧が増す為、先端部の１台のローラーでは退出阻止が不十分である。これを防ぐため第Ｉローラーと第２ローラーの２台のローラーを構成した不正退出を防止する駐車装置を考案した。
【課題を解決するための手段】
【０００４】  上記課題を解決する為考案は、車両が駐車スペースへ進入・退出するに際して作動するフラップ式駐車装置において、前記駐車スペースの床に固設され車両の進入・退出時に作動する本体部材と、該本体部材に一端側を支点として起倒自在に取付けたロック板と、同ロック板の他端下部に、前記車両の進入・退出方向と直角平行に配して回動可能に取付けられた第１の筒型ローラーと、該第１の筒型ローラーに平行に間隔を有して前記駐車スペースの床に両端部が固設され回動可能に軸支された第２の筒型ローラーと、該第２の筒型ローラーの軸に嵌合したピニオンギヤーと、該ピニオンギヤーに歯合して往復動するラックギヤーと、該ラックギヤーの一端が連接部材により前記ロック板と接合したことを特徴とするフラップ式駐車装置で、上記ロック板に回動可能に取り付けた第１の筒形ローラと、平行に間隔を有した床に両端部が固設され回動可能に軸支された第２の筒型ローラーを取り付け、車両タイヤが第１、第２の各筒型ローラーに接触する事で車両タイヤを空転させ不正退出を阻止する駐車装置である。
【考案の効果】
【０００５】  本考案はフラップ式駐車装置のロック板に過負荷かけず、車止め部材としてより効果的な働きをする為に第１ローラー及び第２ローラーを設置し不正退出を防止できた。既設のフラップ式駐車装置でも、容易に設置可能であり、設置事業者等の不利益及びトラブルの減少につながった。
【考案を実施するための最良の形態】
【０００６】  フラップ式駐車装置において車止め部材としてのロック板の先端下部に両端が軸支され回動可能な第１筒型ローラーと、核第１筒型ローラーに間隔を有したスペースの床に両端部が固設され回動可能に軸支された第２筒型ローラーを設置した。第１、第２の各筒型ローラーは車両タイヤが確実に接触する位置とした。
【実施例】
【０００７】  図１に示すように、ロック板４最先端下部に核ロック板と同等幅の筒型ローラー１を取り付け、筒型ローラー１対し平行に間隔を有した駐車スペースの床に、両端部が固設され回動可能に軸支された筒型ローラー２と嵌合したピニオンギヤー７と核ピニオンギヤーに、歯合するラックギヤー６にラックギヤーの一端が、ラックギヤー連結棒３によりロック板４と連結する。ロック板の開閉によりラックギヤーは往復動し、１ａ方向でピニオンギヤーが開放状態になり回転可に、１ｂ方向ででロック状態になり回転不可になる。ラックギヤーの移動がスムーズになるようにスプリング８を取り付ける。筒型ローラー２は、車両重量が直に加わる為筒型ローラー１よりも直径は大きく強固で、床面取り付ける両端軸受けは強固なベアリング入りを使用し車両重量に耐えうるもとする。
【図面の簡単な説明】
【０００８】
【図１】本考案に係る１実施例の動作時の立体図である。
【図２】本考案に係る１実施例の待機時の立体図である。
【図３】（Ａ）筒型ローラー２の回転可能時の詳細図で（Ｂ）筒型ローラー２のロック時の詳細図である。
【符号の説明】
【０００９】  １・・・筒型ローラー
２・・・筒型ローラー
３・・・ラックギヤー連結棒
４・・・ロック板
５・・・ラックギヤーボックス
６・・・ラックギヤー
７・・・ピニオンギヤー
８・・・スプリング
９・・・スプリング・ラックギヤー保持具
【図１】
0003130418.tif 000003
【図２】
0003130418.tif 000004
【図３】
0003130418.tif 000005
(57)【要約】      （修正有）【課題】キャディバッグを安定的に自立させることのできるキャディバッグを提供する。【解決手段】通常のキャディバッグのボトム部を横長の板状１にして、該バッグの前後に装備している物入れポケット４，５側に該ボトムの長辺方向の一部をはみ出した形とし、該はみ出し部分を利用して、該バッグを安定的に自立させる。【選択図】図１
0003130413.tif 000002
【実用新案登録請求の範囲】
【請求項１】
ゴルフ用キャディバッグのボトム部を横長の板状に形成し、該板状部の両端部が該バッグ本体の前後に装備している物入れポケット側にはみ出すように構成されるキャディバッグ。
【考案の詳細な説明】
【技術分野】
【０００１】本考案は，ゴルフ用キャディバッグを安定的に自立させるため、該バッグのボトム部の形状を横長の板状にしたキャディバッグ。
【背景技術】
【０００２】従来のキャディバッグのボトムの形状は円形であるのが一般的であり、必要以上に該ボトムの直径を大きくできないため、該バッグを自立させるとき不安定で転倒しやすい。その対策として、現在の技術としては該ボトムの縁端部に転倒防止突起を装着して、従来品より安定性を向上させたものがある。また転倒防止装置付きのものとしては、実用新案登録第３１２３９４６号の同一出願人による考案がある。
【考案の開示】
【考案が解決しようとする課題】
【０００３】本考案は、前記同一出願人による考案に係わる技術の改良であって、前記考案はキャディバッグを自立させて使用する際、転倒防止用ハネ板をいちいち拡げなければならないので、実用的ではないという課題を解決するものである。
【課題を解決するための手段】
【０００４】このため、請求項１にあるように、キャディバッグのボトム部を横長の板状にして、該バッグの前後に装備している物入れポケット側に該ボトムの長辺方向の一部分をはみ出して、該はみ出し部分で安定化を図り、該バッグを安定的に自立させることのできるキャディバッグを提供する。
【考案の効果】
【０００５】本考案の安定自立型キャディバッグは、キャディバッグ固有の構造と機能が生かされ、該バッグに何の操作を加えることなく、容易に安定的に自立させることができるというメリットがある。
【考案を実施するための最良の形態】
【０００６】以下，本考案を実施するための最良の形態を，図面を参照しながら，具体的に説明する。図１は、キャディバッグ本体に矩形で横長の板状ボトムを取り付けた実施例の斜視図である。板状ボトム１と該バッグ内筒６とは一体化した構造とし、該内筒に通常の本体布地を被せる。該内筒と該布地は縫合糸７により固定する。固定する方法は本実施例に限定するものではない。その他の方法として接着剤やリベットで固定する方法などがある。また、本実施例では該ボトムと該内筒を一体化しているが本実施例に限定するものではない。その他の方法として該ボトムに該ボトムと一体化した高さ数センチメートルの円筒部を設けた独立したボトムと独立した内筒を組み合わせる方法などがある。【０００７】板状ボトム１の周囲には縁端部２を設け、該縁端部の一部に切り欠き部３を設ける。
該切り欠き部の数については本実施例に限定するものではない。また該縁端部や該切り欠き部については設計上の問題であり、特に設けなければならないというものではない。【０００８】図２は、本考案の他の実施例で板状ボトム１の横長方向の両端部を楕円形状にしたものの実施例である。以上、図示の実施例で実施態様を説明したが、該ボトムの形状については本実施例に限定するものではない。その他の方法として該両端部を多角形にする方法などがある。
【図面の簡単な説明】
【０００９】
【図１】本考案の実施例を示す、キャディバッグの斜視図である。
【図２】本考案の他の実施例を示す、キャディバッグの斜視図である。
【符号の説明】
【００１０】１  板状ボトム
２  ボトムの縁端部
３  ボトムの縁端部の切り欠き部
４  前部の収納ポケット
５  後部の収納ポケット
６  キャディバッグの内筒
７  縫合糸
【図１】
0003130413.tif 000003
【図２】
0003130413.tif 000004
(57)【要約】      （修正有）【課題】フォークをズボンのポケットに入れないで携行できるので、ティペッグやマーカーを使用するときポケットから、それらを取り出しやすいというメリットのあるグリーンフォークの提供。【解決手段】通常のグリーンフォーク１の背面に、フォークの一端部に弾性を生ずるように湾曲させた折り返し部を設けて、折り返し部の先端部を逆方向に湾曲させたクリップ２を設け、クリップにより該フォークをズボンの上端、あるいはズボンのバンドに引っ掛けて該フォークを保持して携行できる構造のグリーンフォーク。【選択図】図１
0003130415.tif 000002
【実用新案登録請求の範囲】
【請求項１】
ゴルフプレイ用グリーンフォークの背面部に、該フォークの一端側に弾性を生ずるように湾曲させた折り返し部を設けて、折り返し部の先端部を逆方向に湾曲させることを特徴とするクリップを形成するグリーンフォーク。
【考案の詳細な説明】
【技術分野】
【０００１】本考案は，ゴルフプレイ中、打球などによってグリーン上の芝に付いた損傷を修復するための通常のグリーンフォークをズボンの上端やズボンのバンドに挟み込み、該フォークを取り出しやすく改良したグリーンフォーク。
【背景技術】
【０００２】従来のグリーンフォークは、通常はズボンのポケットに入れて使用するものしかない。
【考案の開示】
【考案が解決しようとする課題】
【０００３】本考案は、ゴルフプレイ中、打球などによってグリーン上の芝に付いた損傷を修復するグリーンフォークを、右利きのプレイヤーの場合は、該フォークをズボンの右ポケットに入れて持ち歩くケースが多いが、該ポケットにはゴルフボールやマーカーさらに数本のティペッグが混在して入っているのが一般的である。そのため、ティペッグなどをポケットから手探りで取り出すとき、該フォークが邪魔になって取り出しづらい。また、該フォークを左ポケットに入れると、左手には皮革製の手袋をはめているため、やはり該フォークを取り出しづらい。このような理由で該フォークを持ち歩かないプレイヤーが多い。そのため、これらの難点を解決するのが課題である。
【課題を解決するための手段】
【０００４】このため、請求項１にあるように、グリーンフォークの背面に、該フォークの一端側に弾性を生ずるように湾曲させた折り返し部を設けて、折り返し部の先端部を逆方向に湾曲させたクリップを取り付け、該クリップをズボンの上端、あるいはズボンのバンドに引っ掛けて該フォークを保持し、携行できる構造のグリーンフォークを提供する。
【考案の効果】
【０００５】本考案のクリップ型グリーンフォークは、従来のグリーンフォークの構造をそのまま生かして、該フォークに前記の弾性を有するクリップを取り付けるだけで、該フォークをズボンのポケットに入れないで携行できるので、ティペッグやマーカーを使用するとき該ポケットから、それらを取り出しやすいというメリットがある。
【考案を実施するための最良の形態】
【０００６】以下，本考案を実施するための最良の形態を，図面を参照しながら，具体的に説明する。図１は、通常のグリーンフォーク１の一端部に弾性を生ずるように湾曲させた折り返し部を設けて、折り返し部の先端を逆方向に湾曲させたクリップ２を取り付けたグリーンフォークの側面図である。該クリップの先端部を湾曲させたのはズボンの上端やズボンのバンドにスムーズに挟み込めるようにするためである。さらに該フォーク１と該クリップ２の先端部との間に数ミリメートルの隙間を設けた構造であるが本実施例に限定するものではなく、これは設計上の問題であり必ずしも隙間を設けなければならないというものではない。また、該フォークの側面形状や平面形状については本実施例に限定するものではない。その他の方法として、側面形状については該フォーク１の部分については板状でもよく、また平面形状についてはテーパーをつけた一枚の板状にする方法などがある。【０００７】図２は前記のクリップ２をグリーンフォーク本体１に取り付けた該フォークの背面図である。本実施例では該クリップを１枚の板状にしているが本実施例に限定するものではない。その他の方法として、櫛型にする方法などがある。
【図面の簡単な説明】
【０００８】
【図１】  本考案の実施例を示す、グリーンフォークの側面図である。
【図２】  本考案の実施例を示す、グリーンフォークの背面図である。
【符号の説明】
【０００９】  １  グリーンフォークの本体
２  グリーンフォークのクリップ
【図１】
0003130415.tif 000003
【図２】
0003130415.tif 000004
(57)【要約】【課題】犬の糞を受け取った後の糞を、悪臭防止とポリ袋等の袋から漏れない、衛生的に使用できる犬用糞取り具を提供する。【解決手段】犬用糞取り具は、４本枠からなり、２本枠は開閉するための把手連結されて設け、開く時は把手を広げ、閉じる時は把手を締める。開閉枠の内側にポリ袋を設けて解決手段とした。【選択図】図１
0003130406.tif 000002
【実用新案登録請求の範囲】
【請求項１】
犬用糞取り具は４本枠からなり、２本枠は開閉把手も設けて接合したことを特徴とする、犬用糞取り具。
【請求項２】
前記、犬用糞取り具開閉口内側に、ポリ袋を設け、ポリ袋口を開閉できることを特徴とする、請求項１記載の犬用糞取り具。
【考案の詳細な説明】
【技術分野】
【０００１】本考案は犬の糞取り具に関する。
【背景技術】
【０００２】従来より、犬の糞取り処理器は古来より知られている。
【特許文献１】  特開  ２００５−２６１４０３
【特許文献２】  特開  ２００６−２３８７７６
【考案の開示】
【考案が解決しようとする課題】
【０００３】しかしながら、犬から受け取った糞を、ポリ袋の口を閉じないと、悪臭がすることと、犬に綱をつけて散歩する時、犬が暴走したりすると、持ち歩きの糞が漏れることがあり、欠点がある。
【課題を解決するための手段】
【０００４】本考案は犬の糞を受け取った後に、ポリ袋の口を閉じ、悪臭を防止することと、ポリ袋から糞が漏れないことで、上記課題を解決するものである。
【考案を実施するための最良の形態】
【０００５】図１に示すように、４本枠からなり、２本枠は開閉するための把手と連結され、開く時は、把手を広げる。閉じる時、把手を締め付ける。【０００６】４本枠を開閉できる把手構造にして、４本枠の接合部分は、リベット、ボルトで連結される。【０００７】４本枠接合部の内側にポリ袋を設ける。
【考案の効果】
【０００８】本考案に係る犬用糞取り具使用で、悪臭防止と、ポリ袋から漏れないことで衛生的な効果がある。
【図面の簡単な説明】
【図１】  本考案に係る犬用糞取り具を使用時の図である。
【図２】  本考案に係る犬用糞取り具の工程図で、ポリ袋の入口を開いた図である。
【符号の説明】
１    犬用糞取り具の開閉枠、把手と連結された枠
１Ａ  枠
２    リベット、ボルト
３    ポリ袋
【図１】
0003130406.tif 000003
【図２】
0003130406.tif 000004
(57)【要約】      （修正有）【課題】出前機の上下揺動を吸収する。【解決手段】基台より立ち上げた第一フレームと、上下揺動吸収スプリング２を取り付けた第二フレームから構成されていて上下揺動吸収スプリングが積載する品物の重量に応じた上下揺動吸収調整が出来る。【選択図】図１
0003130410.tif 000002
【実用新案登録請求の範囲】
【請求項１】
二輪車等の荷台に取り付けて出前用料理を運ぶ出前機に関する物であり、基台より立ち上げた第一フレームと、上下揺動吸収スプリングを取り付けた第二フレームから構成されていて上下揺動吸収スプリングが積載する品物の重量に応じた上下揺動吸収調整が出来る出前機である。
【考案の詳細な説明】
【技術分野】
【０００１】本考案は，自動二輪車等の荷台に取り付けて出前用料理を運搬する上で上下揺動部に重量調整機能が有する出前機に関するものである。
【背景技術】
【０００２】従来出前機としては実用新案登録第３０５３２１４号，および特公昭２９−５１６９号公報に開示されているが，板バネ，空気緩衝筒及びスプリングで揺動吸収するのみであった。
【考案が解決しようとする課題】
【０００３】しかしながら、前述（段落番号０００２）の開示されているものには本考案の様な上下揺動吸収部に重量に対して可動調整部がなく適切な揺動吸収が不可能であった。
【課題を解決するための手段】
【０００４】上記目的を可能にするために本考案は次の様に構成している。すなわち請求項１に記載されている出前機は上下揺動吸収アームに調整機構が付いた物である。
【考案の効果】
【０００５】従来の出前機といえば開示されている実用新案登録第３０５３２１４号，特公昭２９−５１６９号などあるが二件ともに上下揺動吸収部に積載物の重さに対する調整がなく，例えばそば一人前と寿司２５人前などの重量差の微調整機構がなく適切な揺動吸収ができなかった．本考案は上下揺動吸収部の吸収スプリングを調整することで解決するものである。
【考案を実施するための最良の形態】
【０００６】図面によって本考案を説明すると、図１は本考案の側面図である。
【実施例】
【０００７】試験二輪車両に当該出前機を搭載し、そばやでテスト稼働してみて適切な揺動吸収が得られた。
【産業上の利用可能性】
【０００８】当該出前機は各業種の各品目によって揺動吸収が得られ収納も密閉ボックスなので保温性も確保し衛生的な物を提供出来る。
【図面の簡単な説明】
【０００９】
【図１】側面図
【符号の説明】
【００１０】１、  左右一対の左右，前後揺動吸収スプリング
２、  上下揺動吸収スプリング
３、  上下揺動吸収スプリングの調整機構
４、  収納ボックス
５、  ピロボール型固定吊り部
【図１】
0003130410.tif 000003
(57)【要約】【課題】本考案は、動物型のゴミ箱で、そのゴミ箱本体が頭部と胴部に分割でき、又は丁番で自由に開閉でき、胴部の内部中空部の中に中ゴミ箱入れを挿入した衛生的なゴミ入れを提供する。【解決手段】動物型のゴミ箱で頭部と胴部が分離、又は丁番で開閉自由な構成になっている動物型ゴミ箱である。【選択図】図１
0003130432.tif 000002
【実用新案登録請求の範囲】
【請求項１】
動物型に形成された樹脂製、紙製、布製、木製等のゴミ箱で、そのゴミ箱を頭部と胴部に分離、又は丁番で開閉する、分離した頭部をもって胴部の上部ゴミ箱部に蓋をすることを特徴とする動物型ゴミ箱。
【請求項２】
胴部のゴミ箱の内部空洞部に底のある筒状・箱等の樹脂製・紙製・ビニ−ル製のゴミ入れを挿入したことを特徴とする請求項１記載の動物型ゴミ箱。
【請求項３】
蓋付きのため、ゴミ箱の中が外部から見えなく、衛生的で、転倒してもゴミの散乱が少なく、又、ファッション性等設け、ペットとして子供が抱えて遊んでいても清潔で、又置物としても最適なことを特徴とする請求項１又は２記載の動物型ゴミ箱。
【請求項４】
室内の置物類の中にゴミ箱、玩具類の中にゴミ箱を設けた環境衛生面を考えたことを特徴とする請求項１又は２・３記載のいずれかの請求項に属する動物型ゴミ箱。
【考案の詳細な説明】
【技術分野】
【０００１】  本考案は、動物型ゴミ箱を頭部と胴部に分離し、その本体の内部に各種形状の中ゴミ入れを挿入した二重構造の動物型ゴミ箱に関するものである。
【背景技術】
【０００２】  従来から、ゴミは一般の家庭、工場、公園、公共の場所等で収集され、ゴミ箱は筒状又は箱型の樹脂製、鉄板製、金網、木製等各種材料で製作されており、比較的小型のゴミ箱は外観上殆ど同じような形状であり、又、色々の機構の蓋付きゴミ箱等も有る。又転倒すると中身が散乱し非衛生的なゴミ箱等も有り、清潔なゴミ箱は少ないのが現状である。近年蓋のあるゴミ箱等が出ている。（例えば、特許文献１参照）
動物の形状をしたゴミ箱で置物、ファッション性のある形状をしたゴミ箱、清潔な感じがするゴミ箱、飾りものの置物等は見当たらない。
【特許文献１】  特許２８９６９８１号  公報
【考案の開示】
【考案が解決しようとする課題】
【０００３】  本考案は、従来のゴミ箱は何処から見ても殆どの物がゴミ箱の形状をしており、外見上は殆ど同じである。該その非衛生的な面や外観上の欠点などを除くために、家の中の置物・飾り物としての機能性とゴミ箱本体を動物型にしてファッション性を持たせ、その動物型ゴミ箱を頭部と胴部に分離し、胴部の内部中空部に各種形状の他の中ゴミ箱を挿入した二重構造にする、ゴミの投入口をふさぐ蓋を設け、既に投入されているゴミを目にする事のない様な構造にする。動物型ゴミ箱は子供の持ち運びできる遊び玩具としての機能をも持たせた身体の衛生上・健康上に良い動物型ゴミ箱を提供することである。
【課題を解決するための手段】
【０００４】  本考案は、ゴミ箱を動物型ゴミ箱にし、その動物型ゴミ箱を、頭部と胴部に２分割にし、動物の頭部を蓋として胴部に差込み可能にするか、又は丁番で開閉出来るように設ける、胴部のゴミ投入口には樹脂製、紙製、ビニール袋等の中ゴミ箱を設け、小さいゴミは頭部の口から入れ、大きいゴミは頭部を外し胴部のゴミ投入口から入れる。
動物型ゴミ箱はファッション性をもたせれば、家の中の置物としても利用でき、又子供の持ち運びできる遊び玩具としても喜ばれる、以上を解決できる。
【考案の効果】
【０００５】  上述の様に、本考案は動物型ゴミ箱にして、頭部と胴部に分離することで、従来の非衛生的な面や欠点等を除く為にゴミの投入口を設けることより胴部分に捨てたゴミがたまっても外部から見えないようになり、同時に転倒してもゴミの散乱防止になる。又本体機能をデザイン化することによりファッション性が強まり見た目も楽しくなるため動物などの形状にした。そして、大きいゴミは頭部の開閉部を開き入れ、小さなゴミは口から入れる等の効果が期待できる。
【考案を実施するための最良の形態】
【０００６】  動物型ゴミ箱を設け、その動物型ゴミ箱を、頭部と銅部に分離又は丁番で開閉可能にする。銅部の内部は中空にして、その内部中空部に樹脂製、紙製、ビニール袋等の中ゴミ入れを挿入し、その中ゴミ箱にゴミをいれ、中ゴミ箱を出し入れする清潔な動物型ゴミ入れである。又家の中の置物や物入れとしても使用できる。
【実施例】
【０００７】  以下、添付図面に従って説明する。１は合成樹脂製、木製、布製、紙製の素材を使用した動物型ゴミ箱本体。１は頭部の蓋２と胴体３からなり、分離ないしは丁番において開閉自由に構成されている。胴体３は内部中空部に、合成樹脂製、紙製、ビニール袋等の中ゴミ箱４を挿入した二重構造にして、その中ゴミ箱の中にゴミを棄てる。小さいゴミは動物の口４からいれ、大きなゴミは銅部３の投入口から入れる。
【図面の簡単な説明】
【００１０】
【図１】  本発明の側面図
【図２】  本発明の頭部の蓋を開いた側面図
【符号の説明】
【００１１】  １  動物型ゴミ箱本体
２  頭部の蓋
３  胴部
４  小さなゴミ投入口
５  大きなゴミ投入口
６  中ゴミ箱
【図１】
0003130432.tif 000003
【図２】
0003130432.tif 000004
(57)【要約】      （修正有）【課題】掴み所がなく持ちにくくて運びにくい棺を運び安くする事。【解決手段】底部に取り付け取り外し容易な把手がある盆状の運搬用具を提供する事で棺を安全着実に運ぶ事ができる。【選択図】図１ａ
0003130438.tif 000002
【実用新案登録請求の範囲】
【請求項１】
掴み所が無く簡易な直方体をしている現行の＝棺＝を  より運び安くする為の運搬用具で  その形状は棺に合わせた四角い形をした盆状をしており長側面が短側面より下にむかって袖のように少し長く作られており  その長側面下部に取り付け取り外し容易な＝把手＝が左右に貫いた状態で三ヶ所程  取り付けてあり  棺移動の際はこの用具に乗せて  把手を持てば整然とした姿勢で運ぶことができるように工夫された把手付き棺運搬用具
【考案の詳細な説明】
【技術分野】
【０００１】本考案は、通常掴み所が無く大変持ちにくい棺を、容易に移動運搬できるように工夫した棺用運搬用具に関するものである。
【背景技術】
【０００２】現在、死者を入れる棺は通常、突起物のない直方体の木箱で作られている。そのため移動運搬の際、非常に持ちにくいといった不便さが伴うが、いっこうに改善されていない。
【考案の開示】
【考案が解決しようとする課題】
【０００３】現在の棺のままでは、移動運搬の際に携わる人達が気を使いながら腰を曲げて運ぶ姿はあまり見栄えの良いものではないし、万が一転んだり落としたりしたら大変な事態を、招いてしまう。
【課題を解決するための手段】
【０００４】本考案は、棺運搬専用の用具を造り出す事によって、棺を運ぶ際はその用具に載せ安全着実に運べるよう取り計らう。
【考案の効果】
【０００５】棺を安全着実に運ぶ事ができ、安置する際は把手を容易に取り外す事ができるので弔い客の目前においても何ら違和感を抱かせる事がない。
【実施例】
【０００６】以下、添付図面に従って実施例を説明する。
用具は図１ａのように直方体の盆を少々深くして、その長い方の両側面の底の部分を延長して把手になる丸棒が手前から向こう側へ貫通出来るように穴を開けて細工されている。図では把手取り付け状態を描いている。
また短い方の側面の一端は閉じており、もう一端は仕切り板によって開閉自由になっいて、棺を搭載する時は仕切り板をはずし、押し込んだその後、仕切り板によって、閉じるのである。棺には死者の身長によって何種類かの規格があるようだが、棺と用具の間に隙間ができて棺が動くようならば、予め木やゴムのパッキンを用意しておけばよい
図１ｂは、棺、搭載後の見取り図で、把手は用具から抜き取って、底部の隙間に隠す様に収納されているので、このまま安置してもなんら違和感は無い。
【図面の簡単な説明】
【０００７】
【図１ａ】把手取り付け状態で棺、収納前、の見取図。
【図１ｂ】棺、収納後、仕切り板で固定し、把手を取りはずし、底部に収納後、安置状態の見取図。
【図１ａ】
0003130438.tif 000003
【図１ｂ】
0003130438.tif 000004
(57)【要約】      （修正有）【課題】ボイラー一台で、温風・蒸気・温水を切り換え装置で種々の機能切り換えができるボイラーを提供する。【解決手段】ボイラー内部にタンクがあり熱誘導管が設置されている。本体上部に水栓バルブ・蒸気バルブを取り付ける。この蒸気バルブの切り換えにより、タンク内部の機能を換え、温風・蒸気・温水のボイラーに切り換える。【選択図】図１
0003130437.tif 000002
【実用新案登録請求の範囲】
【請求項１】
ボイラー釜部分の内部に熱誘導管を持ち、機能切り換えバルブを持ったタンクが設置されている構造を特徴とするボイラー。
【請求項２】
熱交換管内部に排気ガスを処理する装置を持ち、排気ガスをクリーンにすることができるボイラー。
【考案の詳細な説明】
【技術分野】
【０００１】温風、蒸気、温水等を利用した室内暖房等に利用するボイラー
【背景技術】
【０００２】温風ボイラー・蒸気ボイラー・温水ボイラーとそれぞれ利用に応じてボイラーは作られている。
【考案が解決しようとする課題】
【０００３】ボイラー一台で、温風・蒸気・温水を切り換え装置で種々の機能切り換えができるボイラー。
【考案が解決しようとする手段】
【０００４】ボイラー内部にタンクを設置しバルブの切り換えによりボイラーの機能を換えることができる。さらに、排出されるガスは処理装置を通過することによりＮＯｘ・ＰＭ・ＣＯ２・ＨＣを削減しその処理されたクリーン空気を効率よく巡回させて熱の効率を高める。
【考案実施の形態】
【０００５】ボイラー内部にタンクがあり熱誘導管が設置されている。本体上部に水栓バルブ・蒸気バルブを取り付ける。この蒸気バブルの切り換えにより、タンク内部の機能を換え、温風・蒸気・温水のボイラーに切り換える。
【実施例】
【０００６】以下は添付図により実施例を説明する。
図１はボイラー側面の断面図とボイラー正面の断面図である。１はボイラー本体で、２はバーナーである。１の本体側面にある１７蒸気切り換えバルブの開閉により、ボイラーの機能を切り換えることができる。
【考案の効果】
【０００７】本考案はボイラー内部にバルブを持ったタンクを設置したことで、バルブの開閉だけで温風・蒸気・温水と、それぞれの機能の切り換えができ、１台のボイラーで種々の機能に対応できる。
【図面の簡単な説明】
【０００８】
【図１】  温風・蒸気・温水切り換えボイラーの断面図である。
【符号の説明】
【０００９】  １本体
２バーナー
３吹き出し口
４熱交換管
５排気ガス処理装置
６タンク
７熱誘導管
８温水蛇口
９水栓バルブ
１０蒸気排出口
１１蒸気吸収口
１２水位ゲージ
１３温度計
１４圧力計
１５送風機
１６水抜
１７切り換えバルブ
【図１】
0003130437.tif 000003